(57)【要約】【課題】    従来の実験室用試験管洗浄具は、二本の金属線をねじり合わせたものの間に豚の剛毛を挟んだものが用いられてきた。しかし、このものは豚の毛の腰が弱く、頑固な汚れの洗浄、除去が難しい。かつ、少し強く力を加えると豚の毛が抜け落ちやすい欠点を有していた。【解決手段】    本発明品は竹材、木材、金属材などの柄の先にポリエステル不織布やポリアミド不織布を洗浄すべき試験管の内径より、やや細めの外径となるよう装着し、接着剤や糸でしっかりと固定したものである。これにより、一般的な汚れのみならず、試験管に強く付着したタールのような固着性の強い汚れも完全に洗浄、除去する事ができる優れた試験管洗浄具を完成させた。【選択図】図１
2015033687.tif 000002
【特許請求の範囲】
【請求項１】
柄の先端に不織布を、洗浄すべき試験管の内径よりもやや細めとなるように接着剤や糸で固定した試験管用洗浄具
【発明の詳細な説明】
【技術分野】
【０００１】化学またはバイオ関連実験室で用いられる試験管などの洗浄分野に属する。
【背景技術】
【０００２】研究室では実験のために試験管が多用され、実験後にその洗浄が必要となる。従来の試験管ブラシとしては２本の金属線を撚り合わせて作った柄の先端に豚の剛毛を取り付けた、撚り線ブラシが使われている。しかし、撚り線ブラシでは毛の腰が弱いので汚れを掻き落とす力が弱く洗浄力が劣る。特に試験管の底に付着した粘性のある汚れを洗剤を使用して擦り取ろうとしても、毛が逃げて柄の先端の金属が底に当り、十分な洗浄が出来ない。また、毛が撚り線から離脱しやすい欠点もある。
【発明の開示】
【発明が解決しようとする課題】
【０００３】本発明の目的は洗浄力の優れた試験管用洗浄ブラシの提供にある。前述のように従来から用いられている撚り線ブラシでは毛の腰が弱いので汚れを掻き落とす力が弱く洗浄力が劣る。本発明者はこの改善のためには毛に変えて、より高い機械的強度を有し、汚れを掻きとる力が強い素材を洗浄部に使う必要があると考えた。多くの素材について検討した結果、柄の先端部に不織布を取り付ける事が最も有効である事を見出し、本発明を完成させた。
以下、本発明を具体的かつ詳細に説明する。
【課題を解決するための手段】
【０００４】本発明の洗浄ブラシは図１と図２に示すように柄とその先端の洗浄材部分とからなる。洗浄材部分の材質は不織布である。不織布を構成する繊維の材質としてはセルロース、ポリオレフィン類、ポリエステル類、ポリアミド類等があるが、ポリエステル類とポリアミド類が適度な繊維剛直性を有するので好ましい。ポリオレフィン類としてはポリエチレン、ポリプロピレンが代表的である。ポリエステル類としては、ポリエチレンテレフタレート、ポリブチレンテレフタレートが代表的である。ポリアミド類としては６−ナイロンや６，６−ナイロンが代表的であるが、その他のポリアミド類も用いる事ができる。これらのうちで現在、市販されており、機械的強度が強く洗浄効果も高いものとしてはポリエステル繊維不織布（例えば住友スリーエム株式会社の「スコッチブライト  タイプＴ」）とポリアミド繊維不織布（例えば住友スリーエム株式会社の「スコッチブライト  工業用パッド７５３０ＤＯＴ」）が本目的に好ましい。さらに洗浄効果を高めるため、不織布繊維の表面に炭化ケイ素やアルミナ等の研磨微粒子をコーティングしたものが特に好ましい。ただし、研磨粒子の粒径が大きいとガラスを傷つけるので注意が必要である。
【発明の効果】
【０００５】柄の先端部に不織布を取り付ける事により、試験管の底部及び側面への圧力の伝達が容易となり、しつこい汚れを効果的に洗浄、除去できるようになった。これは毛ブラシやウレタンフォームなどの軟質素材では得られない効果である。実質的な効果については実施例で述べる。なお、本品はビーカー、フラスコなどの実験用具や家庭でのコップ、茶碗、鍋などの洗浄にも用い得る。
【発明を実施するための最良の形態】
【０００６】本洗浄材部分の完成後の大きさは目的に応じて選択しうるが長さは３０〜８０ｍｍ，好ましくは５０ｍｍ，太さは５〜５０ｍｍ，好ましくは１４ｍｍ程度である。柄の長さは片手の掌で操作できる範囲の長さである２００〜３００ｍｍ程度が好ましい。その素材としては竹材、木材、プラスチック、金属（二本の金属線を撚り合わせたものを含む）などが用いられる。中でも竹材は折れにくく、安価である。金属撚り線には曲げ得る特長がある。
以下、柄に不織布を取り付ける方法について述べる。【０００７】柄の先端に短冊状の不織布を巻きつけ最後は接着剤で固定する。接着剤の代わりに糸を巻きつけて固定しても良い。この際、柄の先端が１０ｍｍ程度、不織布の内側に入るようにすると巻きつけた不織布の先端が柔らかくなるので洗浄性がよくなる。不織布が薄い場合は所望の厚さとなるまで、何重にも巻きつける。別の製品形態としては不織布を巻きつける事なく単に柄に部分的に接着剤または糸で固定する事も考えられる。【０００８】次に洗浄効果を示す場合の試験方法について述べておく。
【試験方法１】
０．１ｇのラードを内径１５ｍｍの試験管の底部に入れ、熱で溶かした後、冷やして固化させた。これに市販の台所洗剤を加え、本発明ブラシで水洗しその洗浄効果を調べた。
【試験方法２】
上記のラードに代え、軟化点約４０℃のコールタールピッチを用いた。
【実施例１】
【０００９】長さ２１０ｍｍ、太さ７ｍｍの竹の柄の先に厚さ１０ｍｍ、タテ４０ｍｍ、ヨコ４６ｍｍのポリアミド不織布（表面に炭化ケイ素研磨微粒子をコーティング）をタテ方向が棒と平行になるように巻きつけ、巻き終わり部をエポキシ系接着剤で固定した。その際、不織布は棒の先端から１０ｍｍはみ出して巻きつけた。不織布の厚さは１０ｍｍであるが、巻きつけの際、圧縮されるのでブラシの外径は１４ｍｍとなった。この洗浄ブラシを用い前記試験方法１及び試験方法２によりその洗浄効果を調べた。その結果、本発明品は不織布が試験管の底面や側面に良くなじみ、汚れを効率良く擦りとって除去する事ができた。
【実施例２】
【００１０】長さ２３０ｍｍ、太さ２．４ｍｍの金属撚り線の柄の先に厚さ７ｍｍ、タテ５０ｍｍヨコ６５ｍｍのポリエステル不織布をタテ方向が柄と平行になるように巻きつけ、巻き終わり部をエポキシ系接着剤で固定した。その際、不織布は柄の先端から１０ｍｍはみ出して巻きつけた。ブラシの外径は１４ｍｍとなった。この洗浄ブラシを用い前記試験方法Ｉ及び試験方法２によりその洗浄効果を調べた。その結果、本発明品は不織布が試験管の底面や側面に良くなじみ、汚れを効率良く擦りとって除去する事ができた。
【比較例】
【００１１】市販の豚毛つき撚り線ブラシを用いて実施例と同じ試験方法１，２により洗浄効果を調べた。その結果、撚り線ブラシの毛が曲がって逃げて先端の金属部が試験管の底に当り、時間をかけても汚れを完全に除去する事ができなかった。以上の試験結果をまとめると、次のようになり、本発明品の洗浄効果が大きい事が分かる。
【００１２】
2015033687.tif 000003
※印  炭化ケイ素研磨微粒子コーティング
○：短時間で汚れが完全に除去された
△：洗浄するのに時間がかかり、汚れの一部が残った
×：汚れが完全には除去されなかった
【産業上の利用の可能性】
【００１３】本発明の試験管用洗浄ブラシは化学実験室、バイオ実験室で多用される試験管の洗浄に好適であるがビーカー、フラスコなどの洗浄にも有用である。また、家庭でのコップ、茶碗及び鍋などの洗浄にも便利である。
【図面の簡単な説明】
【００１４】
【図１】試験管用洗浄ブラシの側面図である。
【図２】試験管用洗浄ブラシの正面図である。
【符号の説明】
【００１５】  １：柄
２：洗浄材部分
ａ：柄の外径
ｂ：洗浄材部分の外径
【図１】
2015033687.tif 000004
【図２】
2015033687.tif 000005